(57)【要約】      （修正有）【課題】光反射ベストとしてのすぐれた視認性を保持したままで、軽量かつ柔軟性を具備し、身体に心地よくフィットして着用時の体への負担を軽減するとともに、コンパクトに折り畳むことができて携帯性にもすぐれた光反射ベスト、を提供すること。【解決手段】腹側左胴帯５ａの背側端部と、背側胴帯２の左側端部とが、長さ調節自在かつ着脱自在に係合され、腹側右胴帯５ｂの背側端部と、背側胴帯の右側端部とが、長さ調節自在かつ着脱自在に係合され、かつ、腹側左胴帯の腹側端部と腹側右胴帯の腹側端部とが着脱自在に係合されてなり、帯状部材の着用時外表面側に光反射布７が接合されてなることを特徴とする光反射ベスト１。【選択図】図１
2020117822.tif 000002
【特許請求の範囲】
【請求項１】
帯状部材の連結構造によって形成されてなる光反射ベストであって、
背側胴帯と、
前記背側胴帯の左右の所定部位に連結され、左右の肩の頂上部を超えるように延出してなる一対の左肩掛け帯と右肩掛け帯と、
前記左肩掛け帯と前記右肩掛け帯とを背中の所定位置において着脱自在ないし固定的に連結してなる背帯と、
前記左肩掛け帯の身体の前面側の端部に、長さ調節自在かつ着脱自在に係合されるとともに、腹側左胴帯に連結された左胸帯と、
前記右肩掛け帯の身体の前面側の端部に、長さ調節自在かつ着脱自在に係合されるとともに、腹側右胴帯に連結された右胸帯と、を具備してなり、
前記腹側左胴帯の背側端部と、前記背側胴帯の左側端部とが、長さ調節自在かつ着脱自在に係合され、前記腹側右胴帯の背側端部と、前記背側胴帯の右側端部とが、長さ調節自在かつ着脱自在に係合され、かつ、前記腹側左胴帯の腹側端部と前記腹側右胴帯の腹側端部とが着脱自在に係合されてなり、
前記帯状部材の着用時外表面側に光反射布が接合されてなることを特徴とする、光反射ベスト。
【請求項２】
前記帯状部材の着用時身体側表面が、メッシュ生地からなる、請求項１に記載の光反射ベスト。
【請求項３】
前記帯状部材を着脱自在に係合する手段が、ロット釦である、請求項１または２に記載の光反射ベスト。
【請求項４】
前記腹側左胴帯の腹側端部および背側端部と前記腹側右胴帯の腹側端部および背側端部とが着脱自在に係合する手段が、面ファスナーである、請求項１〜３のいずれか一項に記載の光反射ベスト。
【請求項５】
前記帯状部材の前記長さ調節自在かつ着脱自在に係合する部位に、長さ調節後の余った帯状部材端部を留めて固定するためのループを有する、請求項１〜４のいずれか一項に記載の光反射ベスト。
【請求項６】
前記帯状部材が、前記背帯を除き、実質的に同一巾からなる、請求項１〜５のいずれか一項に記載の光反射ベスト。
【請求項７】
前記背帯に、さらに背ネーム布ないし光反射シートを、着脱自在ないし固定的に接合できるようにした、請求項１〜６のいずれか一項に記載の光反射ベスト。
【発明の詳細な説明】
【技術分野】
【０００１】
本発明は、作業者が着用することによって当該作業者の存在を視認しやすくするための光反射ベストに関する。
【背景技術】
【０００２】
屋外や倉庫内での作業者にとって、その存在を視認しやすくすることは、作業の安全性確保の観点から必須であり、また、夜間の自転車移動やウォーキングやジョギングの際にも遠方からの視認性を確保することは、事故防止のために極めて重要である。
【０００３】
従来、そのような目的のために、安全ベストや光反射ベストと呼ばれる着用具が用いられている。このような光反射ベストとしては、自動車のヘッドライト等に対して反射光を生じる、蛍光材、蓄光材などが適用された光反射性テープがベスト本体の外側に被着されたものが一般的であり、数多くの光反射ベストが既に市販されている。
【０００４】
また、着用時における身体の動作性を向上させる観点から、従来の光反射ベストに改良を加えたものも提案されている。
【０００５】
たとえば、特許文献１（特開2007-277731）には、光反射部の視認性が阻害されることなく、着用時の動作性を向上させるために、胴着部と袖部の重なり部に特定の滑り手段を設けるようにした光反射ベストが提案されている。
【０００６】
さらに、特許文献２（特開2010-126820）には、胴体固定部と、当該胴体固定部に端部が連結された左右一対の肩掛け部とを備えてなり、胴体固定部は、帯状に形成され、端部若しくはその近傍に配設された連結装着具で開閉可能な内方装着帯部分と内方装着帯部分に１部が連結された外方装着帯とからなり、肩掛け部と胴体固定部の外方装着帯の外面となる部分に光反射面を形成することによって、光反射ベストを装着したときのフィット感をよくするとともに、前後の屈身運動や左右の回転運動性をよくし、安全性を損なうことなく、長時間の立ち仕事でも腰痛の発生を可及的に防止するようした光反射ベストが提案されている。
【先行技術文献】
【特許文献】
【０００７】
【特許文献１】特開2007-277731
【特許文献２】特開2010-126820
【発明の概要】
【発明が解決しようとする課題】
【０００８】
上述した従来の光反射ベストにおいては、着用時の動作性や快適性を改善するために様々な工夫が提案されているが、これら従来の光反射ベストは、軽量かつコンパクト性の改善に向けられたものではなく、いずれも嵩張る形態のものであり、依然として持ち運びの際の携帯性に劣るものである。
【０００９】
本発明は、上述した従来技術における問題を解決することに向けられたものであり、光反射ベストとしてのすぐれた視認性を保持したままで、軽量かつ柔軟性を具備し、身体に心地よくフィットして着用時の体への負担を軽減するとともに、コンパクトに折り畳むことができて携帯性にもすぐれた光反射ベスト、を提供することを目的としている。
【課題を解決するための手段】
【００１０】
上記の課題を解決するために、本発明による光反射ベストは、帯状部材の連結構造によって形成されてなる光反射ベストであって、背側胴帯と、前記背側胴帯の左右の所定部位に連結され、左右の肩の頂上部を超えるように延出してなる一対の左肩掛け帯と右肩掛け帯と、前記左肩掛け帯と前記右肩掛け帯とを背中の所定位置において着脱自在ないし固定的に連結してなる背帯と、前記左肩掛け帯の身体の前面側の端部に、長さ調節自在かつ着脱自在に係合されるとともに、腹側左胴帯に連結された左胸帯と、前記右肩掛け帯の身体の前面側の端部に、長さ調節自在かつ着脱自在に係合されるとともに、腹側右胴帯に連結された右胸帯と、を具備してなり、前記腹側左胴帯の背側端部と、前記背側胴帯の左側端部とが、長さ調節自在かつ着脱自在に係合され、前記腹側右胴帯の背側端部と、前記背側胴帯の右側端部とが、長さ調節自在かつ着脱自在に係合され、かつ、前記腹側左胴帯の腹側端部と前記腹側右胴帯の腹側端部とが着脱自在に係合されてなり、前記帯状部材の着用時外表面側に光反射布が接合されてなることを特徴としている。
【００１１】
本発明の好ましい態様においては、前記帯状部材の着用時身体側表面が、メッシュ生地からなる。
【００１２】
さらに、本発明の好ましい態様においては、前記帯状部材を着脱自在に係合する手段が、ロット釦からなる。
【００１３】
また、本発明の好ましい態様においては、前記腹側左胴帯の腹側端部と前記腹側右胴帯の腹側端部とが着脱自在に係合する手段が、面ファスナーからなる。
【００１４】
また、本発明においては、前記帯状部材の前記長さ調節自在かつ着脱自在に係合する部位に、長さ調節後の余った帯状部材端部を留めて固定するためのループを有することが望ましい。
【００１５】
さらに、本発明の好ましい態様においては、前記帯状部材が、前記背帯を除き、実質的に同一巾からなる。
【００１６】
さらにまた、本発明においては、前記背帯に、さらに所望の背ネーム布ないし光反射シートを、着脱自在ないし固定的に接合できるように構成することもできる。
【発明の効果】
【００１７】
本発明によれば、すぐれた視認性を保持したままで、軽量かつ適度な柔軟性を具備し、身体に心地よくフィットして着用時の体への負担を軽減するとともに、コンパクトに折り畳むことができて携帯性にもすぐれた光反射ベストを提供することが可能となる。
【図面の簡単な説明】
【００１８】
【図１】本発明による光反射ベストの好ましい具体的態様を示す斜視図。
【図２】本発明による光反射ベストを構成する帯状部材の係合一体化する前の状態を示す斜視図。
【発明を実施するための形態】
【００１９】
以下、図面を参照して本発明の好ましい一実施形態について説明する。なお、本件明細書に添付する図面においては、図示と理解のしやすさの便宜上、適宜縮尺および縦横の寸法比等は変更されており、実物のそれらと必ずしも正確に一致するものではない。
【００２０】
図１は、本発明による光反射ベストの好ましい具体的態様を示す斜視図であり、図２は、本発明による光反射ベストを構成する帯状部材が係合一体化する前の分離された状態を示す斜視図である。
【００２１】
図１および図２に示すように、本発明の好ましい一実施態様に係る光反射ベスト１は、基本的に、帯状部材の連結構造によって構成されてなり、背側胴帯２と、前記背側胴帯２の左右の所定部位に連結され、左右の肩の頂上部を超えるように延出してなる一対の左肩掛け帯３ａと右肩掛け帯３ｂと、前記左肩掛け帯３ａと前記右肩掛け帯３ｂとを背中の所定位置において着脱自在ないし固定的に連結してなる背帯４と、前記左肩掛け帯３ａの身体の前面側の端部に、長さ調節自在かつ着脱自在に係合されるとともに、腹側左胴帯５ａに連結された左胸帯６ａと、前記右肩掛け帯３ｂの身体の前面側の端部に、長さ調節自在かつ着脱自在に係合されるとともに、腹側右胴帯５ｂに連結された右胸帯６ｂと、を具備してなり、前記腹側左胴帯５ａの背側端部と、前記背側胴帯２の左側端部とが、長さ調節自在かつ着脱自在に係合され、前記腹側右胴帯５ｂの背側端部と、前記背側胴帯２の右側端部とが、長さ調節自在かつ着脱自在に係合され、かつ、前記腹側左胴帯５ａの腹側端部と前記腹側右胴帯５ｂの腹側端部とが着脱自在に係合されてなり、前記帯状部材の着用時外表面側に光反射布７が接合されてなることを特徴としている。
【００２２】
上記ならびに図１〜２に示すように、本発明の光反射ベストにおいては、ベスト本体が本質的に帯状部材の連結構造によって構成されているので、従来の大面積の平面部材を本体とする光反射ベストに比べて嵩容量を大幅に低減させることができる。また、軽量コンパクトであり、しかも装着者の身体に適合するサイズ調整を簡便かつ迅速に行うことができるので、身体にも心地よくフィットし快適である。さらに、本発明の光反射ベストは、比較的激しい身体の動きに対しても良好に追従することができるので、従来のベストの問題点であった装着に伴う違和感や不快感を装着者に与えることも、極力防止することができる。
【００２３】
上記本発明の利点に関連して更に言えば、本発明に係る光反射ベストにおいては、背中側の帯部材が、クロスないしタスキ掛けの構成ではなく、左右の肩掛け帯３ａ、３ｂとの背中側の所定位置を背帯４によって連結するように構成されているので、タスキ掛けの場合に生じやすい位置ズレの問題を極力防止することができる点ですぐれている。さらにまた、左右の肩掛け帯ならびに左右の腹側胴帯と背帯との有機的な組み合わせによって、より適切に身体へのフィット特性を向上させることができたのは予想外の利点である。
【００２４】
また、上記のようにクロスないしタスキ掛けの構成を採用せずに背帯４で連結することには他の利点もあり、たとえば、背帯４の外側表面にロット釦等の固定手段を介して背ネーム布ないし光反射シートを着脱自在に接合できる点でもすぐれている。
たとえば、（１）背帯の反射布側にロット釦が付いており、背ネームを着脱することができるようにしたり（背帯は肩掛け帯に固定する）、（２）背帯にロット釦は付いておらず、背ネームは縫い付けるなどして装着したり（背帯は肩掛け帯に固定する）、あるいは、（３）背ネームを、上記（１）および（２）のようにロット釦や縫い付けで装着し、かつ、背帯は肩掛け帯と着脱可能に構成すること、も可能である。
【００２５】
本発明の帯状部材の素材については、たとえば、帯状部材の着用時身体側表面が、メッシュ生地から構成されることが好ましい。さらに、帯状部材の着用時外表面側は、光反射布からなる。このように、裏面（着用時身体側表面）のメッシュ生地と面面（着用時外表面側）の光反射布とが裏表の両面に層状に組み合わされることによって、メッシュ生地の適度な堅さと光反射布の柔軟さが相俟って、軟らかい感触を具備するとともに軽量化と折り畳み性能がさらに向上したベストを得ることができる。この点、従来の光反射テープは、移染の問題が生じやすく、さらに身体に対してゴアゴア感を与えるので望ましいものではない。
【００２６】
光反射布としては、従来公知の素材や色を適宜選択して用いることができ、たとえば、ポリエステル、綿、ポリウレタン、アラミド繊維等の素材を使用した、シルバー、グレー、蛍光イエロー、オレンジなどの色の光反射布等が好ましく用いられ得る。
【００２７】
さらに、メッシュ生地としては、たとえば、ポリエステル、ナイロン等の素材を使用した、ラッセル組織、トリコット組織等のメッシュ等が好ましく用いられ得る。
【００２８】
なお、上述した例において、メッシュ生地と光反射布の接合合体化は、双方の端部断面近傍を袋縫いで縫合する等の常法に従って行うことができる。
【００２９】
本発明に係る光反射ベストにおいては、上述したように、帯状部材が長手方向の所定の位置において着脱自在に連結ないし係合されている。このような係合・固定手段としては、従来公知の係止具、たとえば面ファスナーや釦等を適宜用いることができるが、特に、堅牢かつ安定な固定を得るためには、ロット釦９を用いることが好ましい。なお、ロット釦９の色は、外部から見た場合の違和感を無くし審美的な観点からも、反射布の色と同系色のものを選択することが望ましい。
【００３０】
また、本発明の好ましい態様においては、前記腹側左胴帯５ａの腹側端部および背側端部と前記腹側右胴帯５ｂの腹側端部および背側端部とを着脱自在に係合させることによって着用者のウエストにフィットさせることができるが、その場合の係合手段としては、ウエスト部分のより快適なフィット感と外観上の美感の観点から、図示のような無段階調整が可能な面ファスナー１０が好ましい。ただし、面ファスナー以外を排除するものではなく、ストラップ用バックル等も適宜用いられ得る。
【００３１】
さらに、本発明においては、前記帯状部材の前記長さ調節自在かつ着脱自在に係合する部位に、長さ調節後の余った帯状部材の端部を留めて固定するためのループ１１を設けることもできる。このようなループは、必要に応じて、１個ないし２個程度設けることができる。
【００３２】
本発明の好ましい態様においては、前記帯状部材が、前記背帯を除き、実質的に同一巾であることが、折り畳む際のコンパクト化の観点から望ましい。
【符号の説明】
【００３３】
１  光反射ベスト
２  背側胴帯
３ａ  左肩掛け帯
３ｂ  右肩掛け帯
４  背帯
５ａ  腹側左胴帯
５ｂ  腹側右胴帯
６ａ  左胸帯
６ｂ  右胸帯
７  光反射布
８  メッシュ生地
９  ロット釦
１０  面ファスナー
１１  ループ
【図１】
2020117822.tif 000003
【図２】
2020117822.tif 000004
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
帯状部材の連結構造によって形成されてなる光反射ベストであって、
背側胴帯と、
前記背側胴帯の左右の所定部位に連結され、左右の肩の頂上部を超えるように延出してなる一対の左肩掛け帯と右肩掛け帯と、
前記左肩掛け帯と前記右肩掛け帯とを背中の所定位置において着脱自在ないし固定的に連結してなる背帯と、
前記左肩掛け帯の身体の前面側の端部に、長さ調節自在かつ着脱自在に係合されるとともに、腹側左胴帯に連結された左胸帯と、
前記右肩掛け帯の身体の前面側の端部に、長さ調節自在かつ着脱自在に係合されるとともに、腹側右胴帯に連結された右胸帯と、を具備してなり、
前記腹側左胴帯の背側端部と、前記背側胴帯の左側端部とが、長さ調節自在かつ着脱自在に係合され、前記腹側右胴帯の背側端部と、前記背側胴帯の右側端部とが、長さ調節自在かつ着脱自在に係合され、かつ、前記腹側左胴帯の腹側端部と前記腹側右胴帯の腹側端部とが着脱自在に係合されてなり、
前記帯状部材の着用時外表面側に光反射布が接合されてなり、
前記帯状部材の着用時身体側表面が、メッシュ生地からなり、
前記帯状部材が、前記背帯を除き、実質的に同一巾からなり、
光反射ベストとしてのすぐれた視認性を保持したままで、軽量かつ柔軟性を具備し、身体に心地よくフィットして着用時の体への負担を軽減するとともに、コンパクトに折り畳むことができて携帯性にもすぐれていることを特徴とする、光反射ベスト。
【請求項２】
前記帯状部材を着脱自在に係合する手段が、ロット釦である、請求項１に記載の光反射ベスト。
【請求項３】
前記腹側左胴帯の腹側端部および背側端部と前記腹側右胴帯の腹側端部および背側端部とが着脱自在に係合する手段が、面ファスナーである、請求項１または２に記載の光反射ベスト。
【請求項４】
前記帯状部材の前記長さ調節自在かつ着脱自在に係合する部位に、長さ調節後の余った帯状部材端部を留めて固定するためのループを有する、請求項１〜３のいずれか一項に記載の光反射ベスト。
【請求項５】
前記背帯に、さらに背ネーム布ないし光反射シートを、着脱自在ないし固定的に接合できるようにした、請求項１〜４のいずれか一項に記載の光反射ベスト。
【手続補正書】
【提出日】令和1年9月17日(2019.9.17)
【手続補正１】
【補正対象書類名】特許請求の範囲
【補正対象項目名】全文
【補正方法】変更
【補正の内容】
【特許請求の範囲】
【請求項１】
帯状部材のみから構成され、かつ、前記帯状部材の連結構造によって形成されてなる光反射ベストであって、
前記帯状部材は、
背側胴帯と、
前記背側胴帯の左右の所定部位に連結され、左右の肩の頂上部を超えるように延出してなる一対の左肩掛け帯と右肩掛け帯と、
前記左肩掛け帯と前記右肩掛け帯とを背中の所定位置において着脱自在ないし固定的に連結してなる背帯と、
前記左肩掛け帯の身体の前面側の端部に、長さ調節自在かつ着脱自在に係合されるとともに、腹側左胴帯に連結された左胸帯と、
前記右肩掛け帯の身体の前面側の端部に、長さ調節自在かつ着脱自在に係合されるとともに、腹側右胴帯に連結された右胸帯と、からなり、
前記帯状部材は、前記背帯を除き、実質的に同一巾からなり、
さらに、前記帯状部材は、その着用時外表面側に光反射布が接合され、かつ、着用時身体側にメッシュ生地が接合されてなることにより、表裏両面が前記光反射布と前記メッシュ生地との層状に接合合体化された構造を有し、
前記腹側左胴帯の背側端部と、前記背側胴帯の左側端部とが、長さ調節自在かつ着脱自在に係合され、前記腹側右胴帯の背側端部と、前記背側胴帯の右側端部とが、長さ調節自在かつ着脱自在に係合され、かつ、前記腹側左胴帯の腹側端部と前記腹側右胴帯の腹側端部とが着脱自在に係合されることによって前記連結構造が形成されてなり、光反射ベストとしての視認性を保持したままで、軽量かつ柔軟性を具備し、かつ、コンパクトに折り畳むことができる携帯性を具備することを特徴とする、光反射ベスト。
【請求項２】
前記帯状部材を着脱自在に係合する手段が、ロット釦である、請求項１に記載の光反射ベスト。
【請求項３】
前記腹側左胴帯の腹側端部および背側端部と前記腹側右胴帯の腹側端部および背側端部とが着脱自在に係合する手段が、面ファスナーである、請求項１または２に記載の光反射ベスト。
【請求項４】
前記帯状部材の前記長さ調節自在かつ着脱自在に係合する部位に、長さ調節後の余った帯状部材端部を留めて固定するためのループを有する、請求項１〜３のいずれか一項に記載の光反射ベスト。
【請求項５】
前記背帯に、さらに背ネーム布ないし光反射シートを、着脱自在ないし固定的に接合できるようにした、請求項１〜４のいずれか一項に記載の光反射ベスト。
【手続補正書】
【提出日】令和2年4月21日(2020.4.21)
【手続補正１】
【補正対象書類名】特許請求の範囲
【補正対象項目名】全文
【補正方法】変更
【補正の内容】
【特許請求の範囲】
【請求項１】
帯状部材を含み、かつ、前記帯状部材の連結構造によって形成されてなる光反射ベストであって、
前記帯状部材は、
背側胴帯と、
前記背側胴帯の左右の所定部位に連結され、左右の肩の頂上部を超えるように延出してなる一対の左肩掛け帯と右肩掛け帯と、
前記左肩掛け帯と前記右肩掛け帯とを背中の所定位置において着脱自在ないし固定的に連結してなる背帯と、
前記左肩掛け帯の身体の前面側の端部に、長さ調節自在かつ着脱自在に係合されるとともに、腹側左胴帯に連結された左胸帯と、
前記右肩掛け帯の身体の前面側の端部に、長さ調節自在かつ着脱自在に係合されるとともに、腹側右胴帯に連結された右胸帯と、からなり、
さらに、前記帯状部材は、その着用時外表面側に光反射布が接合され、かつ、着用時身体側にメッシュ生地が接合されてなることにより、表裏両面が前記光反射布と前記メッシュ生地との層状に接合合体化された構造を有し、
前記腹側左胴帯の背側端部と、前記背側胴帯の左側端部とが、長さ調節自在かつ着脱自在に係合され、前記腹側右胴帯の背側端部と、前記背側胴帯の右側端部とが、長さ調節自在かつ着脱自在に係合され、かつ、前記腹側左胴帯の腹側端部と前記腹側右胴帯の腹側端部とが着脱自在に係合されることによって前記連結構造が形成されてなることを特徴とする、光反射ベスト。
【請求項２】
前記帯状部材を着脱自在に係合する手段が、ロット釦である、請求項１に記載の光反射ベスト。
【請求項３】
前記腹側左胴帯の腹側端部および背側端部と前記腹側右胴帯の腹側端部および背側端部とが着脱自在に係合する手段が、面ファスナーである、請求項１または２に記載の光反射ベスト。
【請求項４】
前記帯状部材の前記長さ調節自在かつ着脱自在に係合する部位に、長さ調節後の余った帯状部材端部を留めて固定するためのループを有する、請求項１〜３のいずれか一項に記載の光反射ベスト。
【請求項５】
前記背帯に、さらに背ネーム布ないし光反射シートを、着脱自在ないし固定的に接合できるようにした、請求項１〜４のいずれか一項に記載の光反射ベスト。
【手続補正書】
【提出日】令和2年5月25日(2020.5.25)
【手続補正１】
【補正対象書類名】特許請求の範囲
【補正対象項目名】全文
【補正方法】変更
【補正の内容】
【特許請求の範囲】
【請求項１】
背側胴帯と、
前記背側胴帯と同一の巾を有し、前記背側胴帯の左右の所定部位に連結され、左右の肩の頂上部を超えるように延出してなる一対の左肩掛け帯と右肩掛け帯と、
前記左肩掛け帯と前記右肩掛け帯とを背中の所定位置において着脱自在ないし固定的に連結してなる背帯と、
前記左肩掛け帯と同一の巾を有し、前記左肩掛け帯の身体の前面側の端部に、長さ調節自在かつ着脱自在に係合されるとともに、腹側左胴帯に連結された左胸帯と、
前記右肩掛け帯と同一の巾を有し、前記右肩掛け帯の身体の前面側の端部に、長さ調節自在かつ着脱自在に係合されるとともに、腹側右胴帯に連結された右胸帯と、からなる帯状部材の連結構造によって形成されてなる光反射ベストであって、
前記帯状部材は、その着用時外表面側に光反射布が接合され、かつ、着用時身体側にメッシュ生地が接合されてなることにより、表裏両面が前記光反射布と前記メッシュ生地との層状に接合合体化された構造を有し、
前記腹側左胴帯の背側端部と、前記背側胴帯の左側端部とが、長さ調節自在かつ着脱自在に係合され、前記腹側右胴帯の背側端部と、前記背側胴帯の右側端部とが、長さ調節自在かつ着脱自在に係合され、かつ、前記腹側左胴帯の腹側端部と前記腹側右胴帯の腹側端部とが着脱自在に係合されることによって前記連結構造が形成されてなることを特徴とする、光反射ベスト。
【請求項２】
前記帯状部材を着脱自在に係合する手段が、ロット釦である、請求項１に記載の光反射ベスト。
【請求項３】
前記腹側左胴帯の腹側端部および背側端部と前記腹側右胴帯の腹側端部および背側端部とが着脱自在に係合する手段が、面ファスナーである、請求項１または２に記載の光反射ベスト。
【請求項４】
前記帯状部材の前記長さ調節自在かつ着脱自在に係合する部位に、長さ調節後の余った帯状部材端部を留めて固定するためのループを有する、請求項１〜３のいずれか一項に記載の光反射ベスト。
【請求項５】
前記背帯に、さらに背ネーム布ないし光反射シートを、着脱自在ないし固定的に接合できるようにした、請求項１〜４のいずれか一項に記載の光反射ベスト。